(57)【要約】【課題】  原稿カバーの上に載せられている異物が給紙口に入ることを防止する異物避けカバーの取り付けを容易にする画像入出力装置を提供する。【解決手段】  本発明に係る画像入出力装置は、原稿を載置するための原稿台を有する筐体と、軸部を有する略板状の異物避けカバーと、原稿カバーの揺動軸線と給紙口との間で前記異物避けカバーを揺動可能に軸支する支持部であって、Ｕ字状の凹みを有する軸受け部と、前記凹みに係合された軸部を係止する弾性変形可能なフックと、前記異物避けカバーが立姿勢から倒方向に所定角度揺動されて前記筐体から斜め上方に突出する姿勢になったときそれ以上の倒方向への揺動を規制する規制手段とを有する支持部と、前記異物避けカバーの揺動軸線と前記給紙口との間に設けられ前記異物避けカバーに沿って降下する異物を受ける凹部と、を備える。【選択図】  図１
2005079961.tif 000002
【特許請求の範囲】
【請求項１】
原稿を載置するための原稿台を有する筐体と、
前記筐体に揺動自在に連結され前記原稿台を覆う原稿カバーと、
前記原稿台に載置された原稿を走査してディジタル画像を作成する画像読み取り手段と、
印刷媒体に画像を印刷する印刷手段と、
前記原稿カバーの揺動軸線の下方で前記筐体に設けられる給紙口であって前記印刷手段に印刷媒体を供給するための給紙口と、
前記印刷媒体を保持する用紙台であって前記給紙口の下端から突出して設けられる用紙台と、
軸部を有する略板状の異物避けカバーと、
前記原稿カバーの揺動軸線と前記給紙口との間で前記異物避けカバーを揺動可能に軸支する支持部であって、Ｕ字状の凹みを有する軸受け部と、前記凹みに係合された前記軸部を係止する弾性変形可能なフックと、前記異物避けカバーが立姿勢から倒方向に所定角度揺動されて前記筐体から斜め上方に突出する姿勢になったときそれ以上の倒方向への揺動を規制する規制手段とを有する支持部と、
前記異物避けカバーの揺動軸線と前記給紙口との間に設けられ前記異物避けカバーに沿って降下する異物を受ける凹部と、
を備えることを特徴とする画像入出力装置。
【請求項２】
前記フックは、前記異物避けカバーの揺動軸線の延長線上に設けられる弾性部と、前記弾性部から前記異物避けカバーの揺動軸線方向に突出する爪部とを有することを特徴とする請求項１に記載の画像入出力装置。
【請求項３】
前記支持部は前記フックを２つ備え、前記軸部の両端部を係止することを特徴とする請求項１又は２に記載の画像入出力装置。
【請求項４】
前記規制手段は、前記異物避けカバーの揺動軸線の近傍に設けられ前記異物避けカバーに当接して揺動を規制する支点部を有し、
前記異物避けカバーは、前記支点部によって揺動が規制されているとき倒方向に所定以上の力が作用すると前記支点部を支点に揺動して前記フックから外れることを特徴とする請求項１、２又は３に記載の画像入出力装置。
【発明の詳細な説明】
【技術分野】
【０００１】
本発明は、画像入出力装置に関する。
【背景技術】
【０００２】
画像の読み取りと画像の印刷とが可能な画像入出力装置として、画像読み取り手段としてのイメージスキャナと印刷手段としてのプリンタとを一体化した複合機が知られている。そうした複合機のうち、給紙口が原稿カバーの揺動軸線の下方に形成されているものが知られている。こうした複合機の場合、異物避けカバーを設けると、異物が給紙口から筐体内に入り込んで故障の原因となることを防止できる。
【０００３】
図１０は、異物避けカバーを備える従来の複合機８０を示す模式図である。図示する例の複合機８０は原稿台８１を有する筐体８２、原稿台８１を被覆する原稿カバー８３、給紙口８４、紙等の印刷媒体９１を支持する用紙台８５、スキャナ部８６、プリンタ部８７などを備える。原稿カバー８３はヒンジ９２で筐体８２に連結されており、図１０において紙面に垂直な揺動軸線９０ａ周りに揺動する。筐体８２は概ね箱形であり、側壁部は４つの壁部で構成されている。ヒンジは壁部の上側の角部に設けられおり、図示するように給紙口８４は上側の角部にヒンジが設けられている壁部に設けられている。すなわち給紙口８４は揺動軸線９０ａの下方に形成されている。図１０に示すように筐体８２から突出して用紙台８５の給紙口８４近傍の上方を覆う異物避けカバー８８と異物受け溝８９とを備えると、原稿カバー８３から落ちた異物９０を異物避けカバー８８で受け止めて異物受け溝８９に貯めることができるため、異物９０が給紙口８４から筐体８２の内部に入り込むことを防止できる。
【０００４】
また、給紙口を覆う給紙部カバーを備えるプリンタが知られている（例えば特許文献１参照。）。特許文献１に記載のプリンタによると、被記録材（印刷媒体）と差し込み口（給紙口）との間を給紙部カバーで覆うことにより、給紙口から塵埃が筐体内に進入することを防止できる。
【０００５】
【特許文献１】特開２００２−２７３９８１号公報
【発明の開示】
【発明が解決しようとする課題】
【０００６】
異物避けカバーを筐体から突出させる場合、異物避けカバーを脱着自在に設けると、搬送時は取り外しておくことにより搬送時の体積の増加や搬送時の何等かの衝撃による異物避けカバーの破損などを防止できる。この場合は複合機を購入したユーザが異物避けカバーを取り付ける作業を行うことになるため、取り付けが容易であることが望ましい。
【０００７】
特許文献１に記載のプリンタは、軸受け部に嵌合穴が形成されており、給紙口カバーから揺動軸線方向に突出する２つの突起をそれぞれ嵌合穴に嵌合させて軸支している。このプリンタの支持構造の場合、先に一方の突起を一方の嵌合穴に嵌合させた後に他方の突起を他方の嵌合穴に嵌合させることになるが、他方の突起を嵌合させるとき突起が軸受け部に当たってしまうため強い力で無理に押し込む必要がある。従って突起が破損する畏れがありユーザは慎重に作業を行わなければならないため取り付けが容易ではない。
【０００８】
この他、軸部を脱着可能に且つ揺動可能に支持する方法の一つとして、図１１に示すように揺動軸の端部９３をＤカット形状に形成し、軸受け部９４の入り口の幅を軸部９３のＤカットが形成されていない部分の外径より狭くして支持する方法もある。この場合、異物避けカバー９５を軸受け部９４に係合させるには異物避けカバー９５を直立姿勢にし、Ｄカットが形成されている端部の水平方向の幅が最も狭くなる状態で軸受け部９４に係合させることになるため、取り付ける際の異物避けカバー９５の揺動方向の傾きに対する許容範囲が狭く、取り付けが容易ではない。
【０００９】
本発明は上記問題を解決するために創作されたものであって、原稿カバーの上に載せられている異物が給紙口に入ることを防止する異物避けカバーの取り付けを容易にする画像入出力装置を提供することにある。
【課題を解決するための手段】
【００１０】
上記目的を達成するため、本発明に係る画像入出力装置は、原稿を載置するための原稿台を有する筐体と、前記筐体に揺動自在に連結され前記原稿台を覆う原稿カバーと、前記原稿台に載置された原稿を走査してディジタル画像を作成する画像読み取り手段と、印刷媒体に画像を印刷する印刷手段と、前記原稿カバーの揺動軸線の下方で前記筐体に設けられる給紙口であって前記印刷手段に印刷媒体を供給するための給紙口と、前記印刷媒体を保持する用紙台であって前記給紙口の下端から突出して設けられる用紙台と、軸部を有する略板状の異物避けカバーと、前記原稿カバーの揺動軸線と前記給紙口との間で前記異物避けカバーを揺動可能に軸支する支持部であって、Ｕ字状の凹みを有する軸受け部と、前記凹みに係合された前記軸部を係止する弾性変形可能なフックと、前記異物避けカバーが立姿勢から倒方向に所定角度揺動されて前記筐体から斜め上方に突出する姿勢になったときそれ以上の倒方向への揺動を規制する規制手段とを有する支持部と、前記異物避けカバーの揺動軸線と前記給紙口との間に設けられ前記異物避けカバーに沿って降下する異物を受ける凹部と、を備えることを特徴とする。異物避けカバーを取り付ける場合、軸部をフックに当接させた状態で軸受け部側に押し込むとフックが弾性変形するため、そのまま更に押し込むことで軸部を軸受け部に係合させることができる。フックが弾性変形するため取り付けの際に軸部又はフックが破損することがなく、取り付けが容易である。また、軸受け部にＵ字状の凹みを設けると押し込むときの異物避けカバーの揺動方向の傾きに対する許容範囲が広くなり、取り付けが更に容易である。よってこの画像入出力装置によると、原稿カバーの上に載せられている異物が給紙口に入ることを防止する異物避けカバーの取り付けが容易である。
【００１１】
さらに本発明に係る画像入出力装置では、前記フックは、前記異物避けカバーの揺動軸線の延長線上に設けられる弾性部と、前記弾性部から前記異物避けカバーの揺動軸線方向に突出する爪部とを有することを特徴とする。この画像入出力装置によると、弾性部が異物避けカバーの揺動軸線方向の延長線上に位置するため、軸部の揺動軸線方向の移動をフックによって規制できる。このため揺動軸線方向の移動を規制するための手段を別途備える必要がなく、画像入出力装置の構成を簡素にできる。
【００１２】
さらに本発明に係る画像入出力装置では、前記支持部は前記フックを２つ備え、前記軸部の両端部を係止することを特徴とする。フックを２つ備えると、取り付けの順序が規定されなくなるため取り付けが更に容易になる。
さらに本発明に係る画像入出力装置では、前記規制手段は、前記異物避けカバーの揺動軸線の近傍に設けられ前記異物避けカバーに当接して揺動を規制する支点部を有し、前記異物避けカバーは、前記支点部によって揺動が規制されているとき倒方向に所定以上の力が作用すると前記支点部を支点に揺動して前記フックから外れることを特徴とする。この画像入出力装置によると、倒方向に所定以上の力が作用しても異物避けカバーが破損しない。
【発明を実施するための最良の形態】
【００１３】
以下、本発明を実施するための最良の形態を実施例に基づいて説明する。
図２及び図３は、本発明の一実施例に係る画像入出力装置としての複合機１を示す断面図である。複合機１は、画像読み取り手段としてのスキャナ部２と印刷手段としてのプリンタ部３とを備えている。複合機１の筐体１２はスキャナ部２を収容するスキャナユニット１２ａとプリンタ部３を収容するプリンタユニット１２ｂとで構成されており、スキャナユニット１２ａはプリンタユニット１２ｂに図示しないヒンジにより揺動自在に連結されている。
【００１４】
原稿台６１は、概ね矩形のガラス板等の透明板で構成され、スキャナユニット１２ａの上壁部に形成された概ね矩形の開口部を閉塞している。原稿台６１には写真や印刷文書などの原稿が載置される。
原稿カバー６０はヒンジ６２により原稿台６１の盤面を開放した姿勢から原稿台６１の盤面を覆う姿勢に揺動可能にスキャナユニット１２ａに連結されている。原稿カバー６０は原稿台６１の盤面に載置された原稿を押さえるとともに、透過原稿用光源３３ａ（図４参照）あるいは反射原稿用光源３３ｂ（図４参照）の放射光以外の光が原稿を照らすことがないよう原稿台６１を覆うものである。原稿カバー６０は揺動軸線方向の両端から揺動軸線側に突出する腕部６０ａを備えており、腕部６０ａの先端がヒンジに連結されている。２つの腕部６０ａは異物避けカバー６５の長手方向の幅に相当する距離以上に離れている。
【００１５】
給紙口６３は、原稿カバー６０の揺動軸線の下方でプリンタユニット１２ｂの側壁に設けられている開口部である。プリンタ部３が画像を印刷する印刷媒体は給紙口６３から供給される。
用紙台６４は、給紙口６３の下端から突出して設けられている。本実施例の用紙台６４は図示するように上方に向かって筐体１２側に傾くように設けられている。用紙台６４は給紙口６３から供給する紙等の印刷媒体を傾斜させて保持し、保持されている印刷用紙は図示しない給紙機構によって一枚づつ給紙口６３からプリンタ部３に搬送される。
【００１６】
異物避けカバー６５は、原稿カバー６０の揺動軸線と給紙口６３との間で後述する支持部によって揺動可能に支持されている。異物避けカバー６５及び支持部の詳細については後述する。ここで図２に示すＸ方向が異物避けカバー６５の倒方向である。異物避けカバー６５は図２に示す姿勢から反Ｘ方向に揺動可能であり、反Ｘ方向に揺動することで異物避けカバー６５を立姿勢にすることができる。
【００１７】
凹部としての異物受け溝６６は、異物避けカバー６５の揺動軸線と給紙口６３との間に異物避けカバー６５の揺動軸線に沿ってプリンタユニット１２ｂに溝状に設けられている。異物避けカバー６５の上方を向く面側に落ちてきた異物は異物避けカバー６５の面に案内されて異物受け溝６６で受けられる。
図４は複合機１の構成を示す模式図であり、図５は複合機１を示すブロック図である。
【００１８】
スキャナ部２は、リニアイメージセンサ３０、光学系３２、第一主走査駆動部３６（図５参照）、第一副走査駆動部３７（図５参照）、ＡＦＥ（Analog Front End）部４１（図５参照）及びディジタル画像処理部４２（図５参照）などを備え、スキャナユニット１２ａに収容されている。
リニアイメージセンサ３０は、ＲＧＢ各色の受光素子が図４において紙面垂直方向に直線状に並ぶ姿勢でキャリッジ３１に搭載されている。リニアイメージセンサ３０は、光学系３２により入力される走査線上の光学像を走査し、その光学像の濃淡に相関する電気信号を出力する。リニアイメージセンサ３０は、可視光、赤外光、紫外光等、所定の波長領域の光を光電変換して得られる電荷をフォトダイオード等の受光素子に一定時間蓄積し、受光素子ごとの受光量に応じた電気信号をＣＣＤ（Charge Coupled Device）、ＭＯＳトランジスタスイッチ等を用いて出力する。
【００１９】
光学系３２は、透過原稿用光源３３ａ、反射原稿用光源３３ｂ、ミラー３４及びレンズ３５などで構成されている。反射原稿用光源３３ｂ、ミラー３４及びレンズ３５はキャリッジ３１に搭載されており、透過原稿用光源３３ａは原稿カバー６０に収容されている。透過原稿用光源３３ａ及び反射原稿用光源３３ｂは蛍光管ランプ等の管照明装置から構成されている。ミラー３４及びレンズ３５は照射された原稿の走査線上の光像をリニアイメージセンサ３０に結像させる。これにより原稿の主走査線上の光学像をリニアイメージセンサ３０に入力する。
【００２０】
第一主走査駆動部３６は、リニアイメージセンサ３０を駆動するために必要な駆動パルスをリニアイメージセンサ３０に出力する駆動回路である。第一主走査駆動部３６は、例えば同期信号発生器、駆動用タイミングジェネレータ等から構成される。
第一副走査駆動部３７は、走査線の長手方向軸に垂直に架設されキャリッジ３１を摺動可能に保持する摺動軸３８、キャリッジモータ３９、駆動ベルト４０、駆動回路などを備えている。キャリッジモータ３９がキャリッジ３１を駆動ベルト４０で牽引することでリニアイメージセンサ３０と原稿Ｍとが走査線に垂直な方向Ｗ（副走査方向）に相対移動するため、二次元画像の走査が可能となる。
【００２１】
ＡＦＥ部４１は、アナログ信号処理部、Ａ／Ｄ変換器等から構成される。アナログ信号処理部はリニアイメージセンサ３０から出力された電気信号に対して増幅、雑音低減処理等のアナログ信号処理を施して出力する。Ａ／Ｄ変換器はアナログ信号処理部から出力された電気信号を所定ビット長のディジタル表現の出力信号に量子化して出力する。
【００２２】
ディジタル画像処理部４２は、ＡＦＥ部４１から出力された出力信号に対し、ガンマ補正、画素補間法による欠陥画素の補間、シェーディング補正、画像信号の鮮鋭化等の処理を行ってディジタル画像を作成する。尚、ディジタル画像処理部４２で施す上記各種の処理は、制御部５６で実行するコンピュータプログラムによる処理に置き換えてもよい。
【００２３】
プリンタ部３は、記録ヘッド４３、ヘッド駆動部４８（図５参照）、第二主走査駆動部４９（図５参照）及び第二副走査駆動部５４（図５参照）などを備え、プリンタユニット１２ｂに収容されている。尚、本実施例ではインクジェット方式により印刷を行う場合を例に説明するが、レーザープリンタやドットインパクトプリンタなど印刷を行うものであってもよい。
【００２４】
記録ヘッド４３はキャリッジ４４に設けられ、インクを吐出するノズル４５、ピエゾ素子４６、インク通路４７、図示しないインクカートリッジなどを備える。ピエゾ素子４６はインクを導くインク通路４７の側壁に接する位置に設けられ、駆動電圧が印加されると急速に伸長してインク通路４７の側壁を変形させる。インク通路４７の体積はピエゾ素子４６の伸張に応じて収縮し、その収縮分に相当するインクがノズル４５から高速に吐出される。これにより記録ヘッド４３は印刷媒体に画像を記録する。
【００２５】
ヘッド駆動部４８は、制御部５６から出力された印刷信号に基づいて駆動電圧をピエゾ素子４６に印加する回路である。
第二主走査駆動部４９は、プラテン５０の軸と平行に架設されキャリッジ４４を摺動可能に保持する摺動軸５１、キャリッジモータ５２、駆動ベルト５３、駆動回路などを備える。キャリッジモータ５２がキャリッジ４４を駆動ベルト５３で牽引することで記録ヘッド４３が摺動軸５１（主走査方向軸）の軸方向（主走査方向Ｘ）に往復移動する。
【００２６】
第二副走査駆動部５４は、紙送りモータ５５、紙送りモータ５５の回転をプラテン５０と図示しない用紙搬送ローラとに伝達する歯車列、駆動回路などを備える。紙送りモータ５５がプラテン５０と図示しない用紙搬送ローラとを回転させることで、主走査方向軸に交差する図４において紙面に垂直な方向（副走査方向）に印刷用紙が移動する。
【００２７】
制御部５６は、ＣＰＵ５７、ＲＯＭ５８及びＲＡＭ５９を備えている。ＣＰＵ５７はＲＯＭ５８に記憶されたコンピュータプログラムを実行して複合機１の各部を制御する。ＲＯＭ５８はＣＰＵ５７に各部を制御する処理を実行させるプログラム、各種のデータなどを記憶しているメモリであり、ＲＡＭ５９はプログラム、各種のデータなどを一時的に記憶するメモリである。制御部５６はスキャナ部２としてもプリンタ部３としても機能する。
【００２８】
次に、異物避けカバー６５と支持部の一部とについて説明する。
図１は、表面側からみた異物避けカバー６５と支持部の一部との断面図である。図６は異物避けカバー６５を揺動軸線方向の一方の側から見た断面図であり、図７は他方の側から見た断面図である。
異物避けカバー６５は、プラスチックなどを原料に形成された略板状の半透明なカバー板７１と円柱状の軸部７２とを備える。カバー板７１は、後述する規制手段に規制されて倒方向への揺動が規制されているとき図２に示すように上端部７１ａが筐体１２側に湾曲して概ね鉛直になるよう形成されている。軸部７２はカバー板７１の長手の縁部に一体形成されている。図６に示すように異物避けカバー６５の背面側には、揺動軸線方向の一方の端部であって軸部７２近傍の端部にカバー板７１から突出する当接部７３が形成されている。また、軸部７２の端部には揺動軸線を挟んで対向する２つの切り欠き７４及び７５が形成されている。切り欠き７４及び７５を設けると軸部７２の幅が後述する軸受け部７６の入り口７６ａに対してより狭くなるため、異物避けカバー６５を直立姿勢に近い姿勢で取り付ける場合は水平方向の位置に対する許容範囲が広くなり、取り付ける際の位置決めが容易になる。また、異物避けカバー６５は、軸部７２に交差する方向の幅、すなわち短手方向の幅が所定以上の幅になるよう形成されている。具体的には、図３に示す原稿カバー６０の端部６０ｂと異物避けカバー６５の揺動軸線との距離に相当する幅以上の幅になるよう形成されている。例えば異物避けカバー６５の幅を所定の幅以下にすると、原稿カバー６０を開いた状態で異物避けカバー６５を筐体１２側に揺動したとき異物避けカバー６５がスキャナユニット１２ａに当接するまで揺動してしまう。この場合、異物避けカバー６５の一部がスキャナユニット１２ａの上方に被さってしまい、その状態で原稿カバー６０を閉じると異物避けカバー６５が原稿カバー６０とスキャナユニット１２ａとに挟み込まれることになる。これにより異物避けカバー６５が破損してしまう可能性がある。異物避けカバー６５の幅を所定以上の長さにすると、こうした挟み込みを防止できる。
【００２９】
支持部は異物受け溝６６の近傍でプリンタユニット１２ｂに設けられており、図１に示すように２つの軸受け部７６、２つのフック７７、及び規制手段としての支点部７８（図６参照）を備えている。異物避けカバー６５の揺動軸線７２ａは２つの軸受け部７６によって規定される。フック７７はプリンタユニット１２ｂから鉛直上向きに突出する弾性変形可能な弾性部７７ａと、弾性部７７ａから揺動軸線７２ａ方向に突出する爪部７７ｂとを有している。弾性部７７ａは図示するように揺動軸線７２ａの延長線上に位置しており、２つのフック７７はそれぞれ軸部７２の端部を揺動軸線７２ａ方向から係止する。弾性部７７ａを揺動軸線７２ａの延長線上に位置させると、軸部７２の揺動軸線７２ａ方向の移動をフック７７によって規制できる。このため揺動軸線７２ａ方向の移動を規制するための部材を別途備える必要がなく、複合機１の構成を簡素にできる。爪部７７ｂは反揺動軸線７２ａ側を向く上面と、他方のフック７７側を向く側面とで形成される角部が面取りされて斜面が形成されている。面取りをすると、面取りしない場合に比べてフック７７を弾性変形させる力が小さくて済み、取り付けが更に容易になる。尚、揺動軸線７２ａに交差する方向にフック７７を備え、揺動軸線７２ａに交差する方向に爪部７７ｂを突出させて軸部７２を係止するようにしてもよい。この場合は揺動軸線７２ａ方向の移動を規制する手段を別途設けるとよい。
【００３０】
軸受け部７６は、図６及び図７に示すように入り口７６ａの幅が軸部７２を揺動方向に所定角度まで揺動したときの軸部７２の水平方向の幅に一致するＵ字状の凹みを有しており、そのＵ字状の凹みに軸部７２が係合される。尚、本実施例では切り欠き７４及び７５が形成されているため凹みの入り口７６ａの幅は軸部７２の外径より狭くてもよいが、切り欠きを備えない場合は入り口７６ａの幅は軸部７２の外径に一致するか又はそれ以上とする。例えば擂り鉢の鉛直方向の断面のように揺動軸線７２ａ方向から視たとき入り口が大きく開口する形状であってもよい。入り口７６ａの幅が所定角度まで揺動したときの軸部７２の水平方向の幅に一致するか又はそれ以上であると、軸部７２を軸受け部７６に係合させるとき異物避けカバー６５が鉛直線に対して傾いていても係合させることができる。このため取り付ける際の異物避けカバー６５の揺動方向の傾きに対する許容範囲が広くなり、取り付けが容易になる。
【００３１】
次に、異物避けカバー６５の取り付けについて説明する。異物避けカバー６５を取り付ける場合、例えば軸部７２を傾けて一方の端部を先にフック７７に係合させ、その後に他方の端部を軸受け部７６側に押し込む。他方の端部を押し込むと弾性部７７ａは弾性変形して湾曲するため、そのまま更に押し込むことで軸部７２を軸受け部７６に係合させることができる。フック７７を２つ備えると、軸部７２のどちらの端部を先にフック７７に係合させてもよいため取り付けの順序が規定されず、取り付けが更に容易である。尚、フック７７を一つだけ備えるようにしてもよい。その場合は軸部７２の他端を係止するための係止手段を設け、先にその係止手段に係止させた後にフック７７に係止するようにする。ただしこの場合はフック７７より先に係止手段に係止させる必要があるため取り付けの順序が規定されることになる。取り付けられた異物避けカバー６５は揺動軸線７２ａ周りに揺動可能となり、異物避けカバー６５を上方に向かって倒方向に所定角度傾斜した姿勢まで揺動すると図６に示すように当接部７３が支点部７８に当接してそれ以上の倒方向への揺動が規制される。
【００３２】
次に、異物避けカバー６５に倒方向を向く力が加わったときの作動について説明する。
図８は、スキャナユニット１２ａを開いた様子を示す断面図であり、図９は図８に示す状態から更に原稿カバー６０を開いた様子を示す断面図である。例えばプリンタ部３のインクカートリッジを交換する場合、ユーザはスキャナユニット１２ａを揺動して図８に示すように開き、その状態でインク交換を行う。この時点では異物避けカバー６５とスキャナユニット１２ａとは、並びに異物避けカバー６５と原稿カバー６０とはまだ当接していない。その状態からスキャナユニット１２ａに対して原稿カバー６０が揺動すると原稿カバー６０が異物避けカバー６５に当接し、原稿カバー６０の重量によって異物避けカバー６５に対して倒方向を向く方向に所定以上の力が作用する。所定以上の力が作用すると異物避けカバー６５は支点部７８を支点に揺動し、軸部７２は上方向に移動する。このとき梃子の原理によって軸部７２には大きな力が作用するため軸部７２はその力によって爪部７７ｂを上に押し上げてフック７７を弾性変形させる。それにより軸部７２がフック７７から外れる。ここで所定以上の力とは、軸部７２がフック７７から外れるのに必要な力以上の力のことである。所定以上の力が作用したとき軸部７２がフック７７から外れるようにすると、異物避けカバー６５が破損してしまうことを防止できる。
【００３３】
以上説明した本発明の一実施例にかかる複合機１によると、フック７７が弾性変形するため取り付けの際に軸部７２又はフック７７が破損することがなく、取り付けが容易である。また、軸受け部７６にＵ字状の凹みが設けられているため押し込むときの異物避けバー６５の揺動方向の傾きに対する許容範囲が広くなり、取り付けが更に容易である。よって複合機１によると、原稿カバー６０の上に載せられている異物が給紙口６３に入ることを防止する異物避けカバー６５の取り付けが容易である。
【図面の簡単な説明】
【００３４】
【図１】本発明の一実施例に係る異物避けカバーの断面図。
【図２】本発明の一実施例に係る画像入出力装置の断面図。
【図３】本発明の一実施例に係る画像入出力装置の断面図。
【図４】本発明の一実施例に係る画像入出力装置の模式図。
【図５】本発明の一実施例に係る画像入出力装置のブロック図。
【図６】本発明の一実施例に係る異物避けカバーの断面図。
【図７】本発明の一実施例に係る異物避けカバーの断面図。
【図８】本発明の一実施例に係る画像入出力装置の断面図。
【図９】本発明の一実施例に係る画像入出力装置の断面図。
【図１０】従来の画像入出力装置の模式図。
【図１１】従来の軸部の支持構造の模式図。
【符号の説明】
【００３５】
１  複合機（画像入出力装置）、２  スキャナ部（画像読み取り手段）、３  プリンタ部（印刷手段）、１２  筐体、６０  原稿カバー、６１  原稿台、６３  給紙口、６４  用紙台、６５  異物避けカバー、６６  異物受け溝（凹部）、７２  軸部、７６  軸受け部、７７  フック、７８  支点部（規制手段）
【図１】
2005079961.tif 000003
【図２】
2005079961.tif 000004
【図３】
2005079961.tif 000005
【図４】
2005079961.tif 000006
【図５】
2005079961.tif 000007
【図６】
2005079961.tif 000008
【図７】
2005079961.tif 000009
【図８】
2005079961.tif 000010
【図９】
2005079961.tif 000011
【図１０】
2005079961.tif 000012
【図１１】
2005079961.tif 000013